(57)【要約】      （修正有）【課題】構造が複雑になり、配置位置が難しくなる問題を解決する歯科用印象材撹拌装置を提供する。【解決手段】ケースと、撹拌モジュール１２と、制御モジュール１３と、タッチパネル１４とを備える。ケースは組立スペースを有し、撹拌モジュール１２は組立スペースに設置されると共にケースに装設されるベース１２１と、ベース１２１に設置される動力部１２２と、動力部１２２に連結される連動部１２３と、連動部１２３に設置されると共に印象材料を入れる容器１２４とを有する。制御モジュール１３はケースに設置されると共に動力部１２２に電気的に接続される。また、タッチパネル１４はケースに設置されると共に制御モジュール１３に電気的に接続され、使用者がタッチパネル１４を操作すると制御モジュール１３により動力部１２２が制御される。【選択図】図２
0003201129.tif 000002
【実用新案登録請求の範囲】
【請求項１】
かご状に成形されると共に中空の組立スペースを有するケースと、
前記組立スペースに設置され、且つ前記ケースに装設されるベースと、前記ベースに設置される動力部と、前記動力部に連結されると共に前記動力部により駆動されて回転動作を行う連動部と、前記連動部に設置されると共に印象材料をその中に入れ、前記動力部での回転動作中に前記印象材料が撹拌される容器とを有する撹拌モジュールと、
前記ケースに設置されると共に前記動力部に電気的に接続され、且つ制御ユニット及び前記制御ユニットに接続されると共に前記動力部の回転動作の制御に用いられる複数の撹拌作業モードが保存される記憶ユニットをさらに具備する制御モジュールと、
前記ケースの表面に露出して設置されると共に、前記制御モジュールに電気的に接続され、且つ前記制御ユニットの制御に基づいてグラフィカルインタフェースが表示され、前記グラフィカルインタフェースは、前記制御ユニットの操作を決定して何れか１つの前記撹拌作業モードで前記動力部の制御を行うモード操作ブロックと、前記制御ユニットの操作を決定して前記動力部の作業時間の制御を行う作業時間調整ブロックと、前記制御ユニットで用いられる前記撹拌作業モードを表示させるモード表示ブロックとを含むタッチパネルを有し、
前記モード操作ブロックは複数のオプションパターンを有し、各前記オプションパターンは何れか１つの前記撹拌作業モードに対応するよう設定されると共に、前記タッチパネルにおけるタッチ制御により選択信号がそれぞれ出力されて、前記制御ユニットが前記選択信号に基づいて前記選択信号に対応する前記撹拌作業モードを決定させて前記動力部を制御させ、前記作業時間調整ブロックは、作業時間増加パターン及び作業時間減少パターンを含み、前記作業時間増加パターンはタッチ制御が行われると前記タッチパネルが前記制御ユニットに対して作業時間増加信号を出力させ、一方、前記作業時間減少パターンはタッチ制御が行われると、前記タッチパネルが前記制御ユニットに対して作業時間減少信号を出力させ、前記制御ユニットが前記作業時間増加信号或いは前記作業時間減少信号が受信された後に、前記動力部を制御させる前記作業時間を変更され、
さらに、電源ボタン及び撹拌開始／停止ボタンとを備え、
前記電源ボタンは、前記制御モジュールに電気的に接続されると共に前記電源ボタンの操作が行われると、開始／停止信号を出力させて前記制御モジュールを制御し、
前記撹拌開始／停止ボタンは、前記制御モジュールに電気的に接続されると共に前記撹拌開始／停止ボタンの操作が行われると、撹拌起動信号を出力させて前記制御モジュールに前記動力部を起動させて回転させるように命令することを特徴とする歯科用印象材撹拌装置。
【請求項２】
前記モード表示ブロックは、何れか１つの前記撹拌作業モードをそれぞれ表す複数の表示パターンを含み、且つ各前記表示パターンは選択された状態及び未選択状態の表示を有することを特徴とする、請求項１に記載の歯科用印象材撹拌装置。
【請求項３】
各前記表示パターンは前記選択された状態になったことを明瞭に表示させることを特徴とする、請求項２に記載の歯科用印象材撹拌装置。
【考案の詳細な説明】
【技術分野】
【０００１】
本考案は、ケースにタッチパネルが設置される歯科用印象材撹拌装置に関する。
【背景技術】
【０００２】
一般的な歯科では、義歯を製作する前に、まず患者の歯型から親模型を作製し、その後前記親模型に基づいて義歯を製作する。前記親模型の材料の多くは石膏粉、アルジネート(alginate)等の印象粉により作製され、また、前記親模型の製造過程では、まず真水を印象粉に加えた後、手動撹拌方式により真水と印象粉とを混合させて一定の粘度を持った印象材料を作製した後に、親模型の製作を行う。
【０００３】
しかしながら、手動による撹拌では真水と印象粉とを均一に撹拌するのが難しく、故に混合後の印象材料内部に気泡が残りやすく、製作された義歯の品質を低下させていた。
【０００４】
上述の真水と印象粉とを手動で撹拌させることによる印象材料の品質不良の問題を解決するため、例えば、特許文献１に記載されている印象材撹拌機器は、真水と印象粉とを撹拌させる装置である（例えば、特許文献１参照）。しかしながら、前記印象材料撹拌機は外部のケースに前記モーターの作業モード及び作業時間を制御させるための複数のキーと、前記モーターの作業モード及び作業時間を表示させるための複数の表示器とが設置される。このため、前記ケースにはこれら前記キー及びこれら前記表示器を設置させるための空間を確保する必要があり、また、前記印象材料撹拌機の機能も日ごとに複雑になり、異なる機能に組み合わせられる複数の物理キー及び物理表示器のために前記ケースの構造が複雑になり過ぎ、配置位置にも困難をきたした。そこで、本考案者は上記の欠点が改善可能と考え、鋭意検討を重ねた結果、合理的設計で上記の課題を効果的に改善する本考案の提案に到った。
【先行技術文献】
【特許文献】
【０００５】
【特許文献１】台湾実用新案出願第２７４７４１号公報
【考案の概要】
【考案が解決しようとする課題】
【０００６】
本考案は、このような従来の問題に鑑みてなされたものである。上記課題解決のため、本考案は、歯科用印象材撹拌装置を提供することを主目的とする。即ち、従来の印象材料撹拌機は構造が複雑であり、配置位置も難しくなるという問題を解決する。
【課題を解決するための手段】
【０００７】
上述した課題を解決し、目的を達成するために、本考案に係る歯科用印象材撹拌装置は、ケース１１と、撹拌モジュール１２と、制御モジュール１３と、タッチパネル１４と、電源ボタン１７と、撹拌開始／停止ボタン１８とを備える。ケース１１はかご状に成形されると共に中空の組立スペース１１１を有する。
【０００８】
撹拌モジュール１２は組立スペース１１１に設置されると共にケース１１に装設されるベース１２１と、ベース１２１に設置される動力部１２２と、動力部１２２に連結されると共に動力部１２２に駆動されて回転動作を行う連動部１２３と、連動部１２３に設置されると共に印象材料をその中に入れて動力部１２２での回転動作によって前記印象材料が撹拌される容器１２４とを有する。
【０００９】
制御モジュール１３はケース１１内に設置されると共に動力部１２２に電気的に接続され、制御モジュール１３は制御ユニット１３１及び前記制御ユニットに接続されると共に、動力部１２２の回転動作の制御に用いられる複数の撹拌作業モードが保存される記憶ユニット１３２をさらに備える。
【００１０】
タッチパネル１４はケース１１の表面に露出して設置され、制御モジュール１３に電気的に接続される。さらにタッチパネル１４には、制御ユニット１３１の制御に基づいてグラフィカルインタフェース１４１が表示され、グラフィカルインタフェース１４１は、制御ユニット１３１の操作を決定して、記憶ユニット１３２に保存された複数の撹拌作業モードうち、何れか１つの撹拌作業モードで動力部１２２の制御を行うモード操作ブロック１５と、制御ユニット１３１の操作を決定して動力部１２２の作業時間の制御を行う作業時間調整ブロック１６と、制御ユニット１３１で用いられる前記撹拌作業モードを表示させるモード表示ブロック１９とを含む。モード操作ブロック１５は複数のオプションパターン１５１を有し、各オプションパターン１５１は何れか１つの前記撹拌作業モードに対応するよう設定される。そしてタッチ制御により選択信号がそれぞれ出力されて、制御ユニット１３１が前記選択信号に基づいて前記選択信号に対応する前記撹拌作業モードを決定して動力部１２２を制御させる。
【００１１】
作業時間調整ブロック１６は、作業時間増加パターン及び作業時間減少パターンを含み、前記作業時間増加パターンはタッチ制御が行われると前記タッチパネルが制御ユニット１３１に対して作業時間増加信号を出力させる。前記作業時間減少パターンはタッチ制御が行われるとタッチパネル１４が制御ユニット１３１に対して作業時間減少信号を出力する。制御ユニット１３１は、前記作業時間増加信号或いは前記作業時間減少信号が受信された後に動力部１２２が制御される前記作業時間が変更される。
【００１２】
電源ボタン１７は制御モジュール１３と電気的に接続されており、電源ボタン１７が操作されると、開始／停止信号が出力され、制御モジュール１３を起動或いは停止させる。
【００１３】
撹拌開始／停止ボタン１８は制御モジュール１３と電気的に接続されており、撹拌開始／停止ボタン１８が操作されると、制御モジュール１３へ撹拌起動信号が出力され、制御モジュール１３に動力部１２２を起動させて回転させるように命令する。
【００１４】
好ましい実施態様では、モード表示ブロック１９は、記憶ユニット１３２に保存された複数の撹拌作業モードをそれぞれ表す複数の表示パターン１９１を含み、且つ各表示パターン１９１は選択された状態及び未選択状態の表示を有する。さらには、各表示パターン１９１は前記選択された状態になったことを明瞭に表示させる。
【考案の効果】
【００１５】
本考案は、上述の技術内容により、従来のものに比べて、以下の特徴を有する。本考案は、タッチパネル１４がケース１１に設置されると共にケース１１の表面に露出して設置され、且つタッチパネル１４は制御ユニット１３１の制御に基づいて使用者が操作に使用するグラフィカルインタフェース１４１を表示させる。これにより、従来の印象材料撹拌機では、複数の物理キー及び複数の物理表示器が設置させるため、ケースの構造が複雑になり、配置位置も難しくなるという問題が解決される。
【図面の簡単な説明】
【００１６】
【図１】本考案の一実施形態に係る歯科用印象材撹拌装置を示す外観概念図である。
【図２】本考案の歯科用印象材撹拌装置の内部構成を示す概念図（一）である。
【図３】本考案の歯科用印象材撹拌装置の内部構成を示す概念図（二）である。
【図４】本考案の電気回路を示す概念図である。
【図５】本考案のパターンインターフェースの動作を示す概念図（一）である。
【図６】本考案のパターンインターフェースの動作を示す概念図（二）である。
【考案を実施するための形態】
【００１７】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１８】
本考案の歯科用印象材撹拌装置１は、ケース１１と、撹拌モジュール１２と、制御モジュール１３と、タッチパネル１４とを備える。ケース１１はかご状に成形され、且つ内部には組立スペース１１１を有し、ケース１１は組立スペース１１１に対応するように設置されると共に開閉可能な蓋体１１２をさらに有する（図１乃至図４参照）。撹拌モジュール１２は組立スペース１１１に設置されると共にケース１１に装設されるベース１２１と、ベース１２１に設置される動力部１２２と、動力部１２２に連結されると共に動力部１２２により駆動されて回転動作を行う連動部１２３と、連動部１２３に設置される容器１２４とを有する。動力部１２２はブラシレスモーターであり、連動部１２３はフレーム及び前記フレームに装設されて容器１２４を連動させて対応する回転動作を行わせる遊星歯車セット１２５を有する。制御モジュール１３はケース１１に設置されると共に動力部１２２に電気的に接続され、且つ制御モジュール１３は制御ユニット１３１及び制御ユニット１３１に接続される記憶ユニット１３２をさらに備える。記憶ユニット１３２には動力部１２２の回転動作を制御させるための複数の撹拌作業モードが保存される。具体的には、これら撹拌作業モードは通常モード、フルスピードモード(full power)、加速(ramp-up)及び予備撹拌モード(pre-mix)である。
【００１９】
図５及び図６に示すように、タッチパネル１４はケース１１に設置されると共にケース１１の表面に露出して設置され、且つタッチパネル１４は制御モジュール１３に電気的に接続される。また、タッチパネル１４には制御ユニット１３１の制御に基づいてグラフィカルインタフェース１４１が表示され、グラフィカルインタフェース１４１はモード操作ブロック１５及び作業時間調整ブロック１６を含む。モード操作ブロック１５では、使用者の操作により、制御ユニット１３１が記憶ユニット１３２に保存されている何れか１つの撹拌作業モードに決定し、動力部１２２を制御する。作業時間調整ブロック１６では使用者の操作により、制御ユニット１３１が動力部１２２を制御し作業時間を決定する。モード操作ブロック１５はオプションパターン１５１を有し、作業時間調整ブロック１６は作業時間増加パターン１６１及び作業時間減少パターン１６２を含む。
【００２０】
歯科用印象材撹拌装置１はケース１１にそれぞれ設置される電源ボタン１７及び撹拌開始／停止ボタン１８をさらに有する。電源ボタン１７及び撹拌開始／停止ボタン１８は共に制御モジュール１３に電気的に接続される（図１参照）。
【００２１】
また、図５及び図６に示すように、本考案に係る歯科用印象材撹拌装置１は実施過程において、使用者が先に電源ボタン１７を押し、電源ボタン１７によって開始／停止信号が出力されると、制御モジュール１３が制御されて起動或いは停止され、前記開始信号が出力されると、制御モジュール１３の制御により、一定比率の真水及び印象粉(例えば、石膏粉或いはアルジネート等)等の印象材料が容器１２４内に入れられる。
【００２２】
また、制御モジュール１３の起動後にタッチパネル１４が制御されてグラフィカルインタフェース１４１が表示され、使用者がモード操作ブロック１５及び作業時間調整ブロック１６を操作することで制御モジュール１３によって動力部１２２が制御される撹拌作業モード及び作業時間が決定される。その後、撹拌開始／停止ボタン１８が押されると、制御モジュール１３に対して撹拌起動信号が出力されることで動力部１２２が起動され、事前に選択された撹拌作業モード及び作業時間での回転動作が行われる。
【００２３】
使用者がオプションパターン１５１にタッチすることでタッチパネル１４が制御ユニット１３１に対して選択信号を出力させ、前記選択信号に対応する前記撹拌作業モードが決定されて動力部１２２が制御される。また、作業時間増加パターン１６１がタッチされるとタッチパネル１４により制御ユニット１３１に対して作業時間増加信号が出力され、或いは、作業時間減少パターン１６２がタッチされるとタッチパネル１４により制御ユニット１３１に対して作業時間減少信号が出力される。制御ユニット１３１が前記作業時間増加信号或いは前記作業時間減少信号を受信した後に、動力部１２２が制御される前記作業時間が変更される（図５及び図６参照）。
【００２４】
なお、モード操作ブロック１５は複数のオプションパターン１５１をさらに有し、且つ各オプションパターン１５１は何れか１つの撹拌作業モードに対応して設定されると共にタッチ制御されることで選択信号をそれぞれ出力させ、制御ユニット１３１によって、前記選択信号に基づいた前記選択信号に対応する撹拌作業モードが決定され動力部１２２が制御される。
【００２５】
図５及び図６によれば、グラフィカルインタフェース１４１は制御ユニット１３１に使用される撹拌作業モードを表示させるためのモード表示ブロック１９を更に含む。詳しく説明すると、モード表示ブロック１９は、何れか１つの撹拌作業モードをそれぞれ表す複数の表示パターン１９１を含み、且つ各表示パターン１９１は選択された状態及び未選択状態の表示を有する。モード操作ブロック１５のオプションパターン１５１がタッチされると制御ユニット１３１がどの撹拌作業モードを選択するかを決定し、何れか１つの撹拌作業モードに対応する何れか１つの表示パターン１９１により選択された状態になる。さらには、各表示パターン１９１は、例えば、フラッシュ状態、パターン包囲状態、或いは白黒反転状態等で前記選択された状態になったことを明瞭に表示させる。
【００２６】
以上のとおり、本考案に係る歯科用印象材撹拌装置はタッチパネルがケースに設置されると共に前記制御モジュールに電気的に接続され、使用者が前記タッチパネルを操作することで前記制御モジュールが前記動力部を制御させる作業モードが決定される。これにより、従来の印象材料撹拌機では、ケースに複数の物理キー及び複数の物理表示器が設置されるため、構造が複雑になり、配置位置も難しくなるという問題を解決する。
【００２７】
従って、本明細書に開示された実施例は、本考案を限定するものではなく、説明するためのものであり、このような実施例によって本考案の思想と範囲が限定されるものではない。本考案の範囲は特許請求の範囲により解釈すべきであり、それと同等の範囲内にある全ての技術は、本考案の権利範囲に含まれるものと解釈すべきである。
【符号の説明】
【００２８】
１  歯科用印象材撹拌装置
１１  ケース
１１１  組立スペース
１１２  蓋体
１２  撹拌モジュール
１２１  ベース
１２２  動力部
１２３  連動部
１２４  容器
１２５  遊星歯車セット
１３  制御モジュール
１３１  制御ユニット
１３２  記憶ユニット
１４  タッチパネル
１４１  グラフィカルインタフェース
１５  モード操作ブロック
１５１  オプションパターン
１６  作業時間調整ブロック
１６１  作業時間増加パターン
１６２  作業時間減少パターン
１７  電源ボタン
１８  撹拌開始／停止ボタン
１９  モード表示ブロック
１９１  表示パターン
【図１】
0003201129.tif 000003
【図２】
0003201129.tif 000004
【図３】
0003201129.tif 000005
【図４】
0003201129.tif 000006
【図５】
0003201129.tif 000007
【図６】
0003201129.tif 000008